(57)【要約】【課題】ディスクトレイなどの可動部品の作動時の音のバラツキを抑えることができ、駆動モータの取付け作業も容易に行える光ディスク装置を提供する。【解決手段】トラバースシャーシ２の開環状被嵌合孔部１３に駆動モータ１２の環状嵌合凸部１２ａを嵌合して駆動モータ１２をトラバースシャーシ２に取付け、駆動モータ１２の出力歯車と噛合する駆動力伝達歯車機構を介してディスクトレイ等の可動部品を作動させる光ディスク装置において、開環状被嵌合孔部１３の直径ｒを環状嵌合凸部１２ａの外径Ｒと同一又はそれよりも僅かに小さく設定する。これにより駆動モータ１２を嵌合ガタなく正確に位置決めして、出力歯車と駆動力伝達歯車機構の最初の従動歯車とのギア間距離のバラツキをなくし、このバラツキに依存して発生する可動部材の作動時の音のバラツキを抑える。また、駆動モータ１２を仮止めできるので取付作業が容易になる。【選択図】図３
2008065924.tif 000002
【特許請求の範囲】
【請求項１】
トラバースシャーシに形成された開環状被嵌合孔部に駆動モータの環状嵌合凸部を嵌合して駆動モータをトラバースシャーシに取付け、駆動モータの軸に固着された出力歯車と噛合する駆動力伝達歯車機構を介してディスクトレイその他の可動部品を作動させる光ディスク装置において、
トラバースシャーシの開環状被嵌合孔部の直径を駆動モータの環状嵌合凸部の外径と同一又はそれよりも僅かに小さく設定し、開環状被嵌合孔部の下端開口縁に下広がりのテーパーガイド面を形成すると共に、開環状被嵌合孔部の上端開口縁に上広がりのテーパー面を形成し、駆動モータの環状嵌合凸部の上端を下広がりのテーパーガイド面と上広がりのテーパー面との間に位置させたことを特徴とする光ディスク装置。
【請求項２】
トラバースシャーシに形成された開環状被嵌合孔部に駆動モータの環状嵌合凸部を嵌合して駆動モータをトラバースシャーシに取付け、駆動モータの軸に固着された出力歯車と噛合する駆動力伝達歯車機構を介してディスクトレイその他の可動部品を作動させる光ディスク装置において、
トラバースシャーシの開環状被嵌合孔部の直径を駆動モータの環状嵌合凸部の外径と同一又はそれよりも僅かに小さく設定したことを特徴とする光ディスク装置。
【請求項３】
上記開環状被嵌合孔部の下端開口縁に下広がりのテーパーガイド面を形成したことを特徴とする請求項１に記載の光ディスク装置。
【発明の詳細な説明】
【技術分野】
【０００１】
本発明はＣＤ、ＤＶＤなどの光ディスク装置に関し、特に、ディスクトレイなどの可動部品が作動するときに生じる音のバラツキを抑えるように改良した光ディスク装置に関する。
【背景技術】
【０００２】
従来のＤＶＤなどの光ディスク装置は、光ピックアップやターンテーブルを搭載したトラバースシャーシを、その後端部でローダーシャーシに上下回動可能に取付けると共に、このトラバースシャーシを上下に回動させるカムスライダーをローダーシャーシの前縁部に左右スライド可能に取付け、ディスクトレイをトラバースシャーシの上側に配置して前進後退可能にローダーシャーシに取付けている。そして、トラバースシャーシに駆動モータを取付け、この駆動モータの軸に固着された出力歯車と噛合する駆動力伝達歯車機構を介して、ディスクトレイ、光ピックアップ、カムスライダーなどの可動部品を作動させている。
【０００３】
上記の駆動モータは、その環状嵌合凸部をトラバースシャーシの開環状被嵌合孔部に下方から嵌合させて位置決めしてからビスでトラバースシャーシに取付固定されるが、駆動モータの環状嵌合凸部の外径はメーカーによって多少異なるため、これまでのトラバースシャーシの開環状被嵌合孔部の直径（内径）は、駆動モータの最も大きい環状嵌合凸部の外径に合わせている。
【０００４】
一方、モータとエンコーダとの結合において、エンコーダの位置決め穴の穴寸法を、位置決めピンに対して隙間ばめの寸法公差で形成すると共に、モータの位置決め穴の穴寸法を、位置決めピンに対して締まりばめの寸法公差で形成することによって、モータとエンコーダの回転軸の同軸度を向上させる技術が知られている（特許文献１）。
【０００５】
また、モータ部材と、リードスクリューを軸支する軸受部材と、モータ部材からの動力をリードスクリューに伝達する伝達手段とを、駆動ベース部材に配設することによって、精度良くギヤの軸間のピッチを確保し、ギヤ音を抑えて、ピックアップの送り動作を行えるようにした記録再生装置も知られている（特許文献２）。
【特許文献１】特開２００５−３４８５５５号公報
【特許文献１】特開平１１−２２４４７０号公報
【発明の開示】
【発明が解決しようとする課題】
【０００６】
しかしながら、上述した従来の光ディスク装置のように、トラバースシャーシの開環状被嵌合孔部の直径（内径）を、駆動モータの最も大きい環状嵌合凸部の外径に合わせたものは、それよりも外径が小さい駆動モータの環状嵌合凸部をトラバースシャーシの開環状被嵌合孔部に嵌合させて位置決めを行うと、いわゆる嵌合ガタが生じるため、駆動モータの出力歯車と、これに噛合する駆動力伝達歯車機構の最初の従動歯車とのギア間距離にバラツキが生じ、このギア間距離のバラツキに依存してディスクトレイその他の可動部品の作動時の音がバラツキを生じるという問題があった。
【０００７】
このような問題は、位置決めピンを用いてモータとエンコーダの回転軸の同軸度を向上させる特許文献１の技術や、モータ部材の具体的な位置決め手段を持たない特許文献２の技術を採用しても、解決することは困難であり、あえて、特許文献１のように位置決めピンをモータの位置決め穴に締まりばめする手段を採用すれば、別途、位置決めピンが必要となり、モータに位置決め穴を穿孔する作業や位置決めピンを圧入する作業が必要となるので、部品点数及び組立工数の増加によりコストアップを招くという問題が生じる。
【０００８】
本発明は上記の事情の下になされたもので、その解決しようとする課題は、ディスクトレイなどの可動部品の作動時の音のバラツキを抑えることができ、駆動モータの取付け作業も容易に行うことができる光ディスク装置を提供することにある。
【課題を解決するための手段】
【０００９】
上記の課題を解決するため、本発明に係る光ディスク装置は、トラバースシャーシに形成された開環状被嵌合孔部に駆動モータの環状嵌合凸部を嵌合して駆動モータをトラバースシャーシに取付け、駆動モータの軸に固着された出力歯車と噛合する駆動力伝達歯車機構を介してディスクトレイその他の可動部品を作動させる光ディスク装置において、トラバースシャーシの開環状被嵌合孔部の直径を駆動モータの環状嵌合凸部の外径と同一又はそれよりも僅かに小さく設定したことを特徴とするものである。
【００１０】
本発明の光ディスク装置においては、開環状被嵌合孔部の下端開口縁に下広がりのテーパーガイド面を形成することが好ましい。
【００１１】
そして、本発明の更に具体的な好ましい光ディスク装置は、トラバースシャーシに形成された開環状被嵌合孔部に駆動モータの環状嵌合凸部を嵌合して駆動モータをトラバースシャーシに取付け、駆動モータの軸に固着された出力歯車と噛合する駆動力伝達歯車機構を介してディスクトレイその他の可動部品を作動させる光ディスク装置において、トラバースシャーシの開環状被嵌合孔部の直径を駆動モータの環状嵌合凸部の外径と同一又はそれよりも僅かに小さく設定し、開環状被嵌合孔部の下端開口縁に下広がりのテーパーガイド面を形成すると共に、開環状被嵌合孔部の上端開口縁に上広がりのテーパー面を形成し、駆動モータの環状嵌合凸部の上端を下広がりのテーパーガイド面と上広がりのテーパー面との間に位置させたことを特徴とするものである。
【発明の効果】
【００１２】
本発明の光ディスク装置のように、トラバースシャーシの開環状被嵌合孔部の直径が駆動モータの環状嵌合凸部の外径と同一又はそれよりも僅かに小さく設定されていると、駆動モータの環状嵌合凸部をトラバースシャーシの開環状被嵌合孔部に下方から軽く圧入して嵌合したときに、いわゆる嵌合ガタが生じないため駆動モータが精度良く位置決めされる。従って、駆動モータの出力歯車と、これに噛合する駆動力伝達歯車機構の最初の従動歯車とのギア間距離にバラツキが実質的に生じないので、ギア間距離のバラツキに依存して発生するディスクトレイその他の可動部品の作動時の音のバラツキを抑えることができる。また、駆動モータの環状嵌合凸部をトラバースシャーシの開環状被嵌合孔部に軽く圧入して嵌合すると、それだけで駆動モータがトラバースシャーシに仮止めされるので、その後のビス等による駆動モータの取付固定作業などが容易になる。尚、駆動モータの環状嵌合凸部を嵌合させるトラバースシャーシの被嵌合孔部が完全な環状であると、環状嵌合凸部の嵌合作業が容易ではないが、本発明における被嵌合孔部は開環状であるため、駆動モータの環状嵌合凸部を軽く圧入するだけで容易に弾性拡開し、簡単に嵌合作業を行うことができる。
【００１３】
また、トラバースシャーシの開環状被嵌合孔部の下端開口縁に下広がりのテーパーガイド面を形成した光ディスク装置は、この開環状被嵌合孔部に駆動モータの環状嵌合凸部を下方から軽く圧入すると、該環状嵌合凸部が下広がりのテーパーガイド面に案内されて開環状被嵌合孔部を弾性拡開させながら容易且つ滑らかに嵌合される。
【００１４】
そして、本発明の一層具体的な好ましい光ディスク装置のように、開環状被嵌合孔部の上端開口縁に上広がりのテーパー面が形成されていると、駆動モータの軸に固着された出力歯車との接触を回避することができ、また、駆動モータの環状嵌合凸部の上端が開環状被嵌合孔部の上広がりのテーパー面と下広がりのテーパーガイド面との間に位置するように構成されていると、環状嵌合凸部の嵌合深さ（環状嵌合凸部と開環状被嵌合孔部が接触する部分の上下寸法）が適度で深くも浅くもないため、良好な嵌合作業性と仮止め性を合わせて発揮することができる。
【発明を実施するための最良の形態】
【００１５】
以下、図面を参照して本発明の具体的な実施形態を詳述する。
【００１６】
図１は本発明の一実施形態に係る光ディスク装置をそのディスクトレイを省略して示した平面図、図２は同光ディスク装置のトラバースシャーシにおける駆動モータ及び駆動力伝達歯車機構の配置と、光ピックアップ、ディスクトレイ、カムスライダーのそれぞれのラックとの噛合関係を示す説明図、図３はトラバースシャーシの駆動モータ取付部分の拡大部分斜視図、図４の（ａ）は図３のＡ−Ａ線に沿った拡大部分断面図、図４の（ｂ）はその分解図である。
【００１７】
図１に示す光ディスク装置は、熱可塑性合成樹脂で射出成形されたローダーシャーシ１の内側に、同じく熱可塑性合成樹脂で射出成形されたトラバースシャーシ２を、その後端両側部において取付ネジ３とゴムダンパー４を用いて上下回動可能に取付けたものであり、トラバースシャーシ２の上側には光ディスクを搬送するディスクトレイ１６（図２を参照）が配置されて、前進後退可能にメインシャーシ１の内側に取付けられている。そして、トラバースシャーシ２には光ピックアップ５とターンテーブル６が搭載され、光ピックアップ５は主軸７ａと副軸７ｂに沿ってトラッキング方向、即ち、ターンテーブル６に対して接近、離反する方向に移動するようになっており、この光ピックアップ５からレーサービームが光ディスクに照射されて記録、再生が行われるようになっている。
【００１８】
上記のターンテーブル６は、トラバースシャーシ２に搭載されたスピンドルモータ（不図示）の出力軸に固定され、トラバースシャーシ２が上昇したとき、即ち、後端両側部の取付部分を中心として上方に回動したときに、このターンテーブル６とその真上のクランパー８との間に光ディスクの中央開口縁を挟んで光ディスクを回転させるようになっている。このクランパー８は、ディスクトレイを跨ぐようにメインシャーシ１に一体成形されたブリッジ部９の中央のクランパー保持部９ａに回転自在に保持されている。
【００１９】
トラバースシャーシ２の前端部の下面側には合成樹脂製のレバーシフト１０が取付固定され、このレバーシフト１０には前方へ突き出す長短二つのボス部１０ａ，１０ｂが形成されている。そして、これらのボス部１０ａ，１０ｂが挿入されるカム溝１１ａ，１１ｂを形成した合成樹脂製のカムスライダー１１が、ローダーシャーシ１の前枠部１ａに左右スライド可能に取付けられ、このカムスライダー１１の右端のラックギヤ１１ｃが、後述する駆動力伝達歯車機構１５の第三小歯車（ピニオンギア）１５ｆと噛合するようになっている。従って、この第三小歯車１５ｆによってカムスライダー１１が左右方向にスライドすると、そのカム溝１１ａ，１１ｂに沿ってレバーシフト１０の凸部１０ａ，１０ｂが摺動しながら上下動するため、トラバースシャーシ２はレバーシフト１０と共に上下に回動（昇降）するようになっている。
【００２０】
図２，図３に示すように、トラバースシャーシ２の駆動モータ取付部分には開環状被嵌合孔部１３が形成されており、駆動モータ１２は、そのモータ上面の環状嵌合凸部１２ａを上記の開環状被嵌合孔部１３に下方から嵌合させることによって位置決めしたまま、ビス等でトラバースシャーシ２に取付固定されている。そして、この開環状被嵌合孔部１３から上方に突出する駆動モータ１２の軸１２ｂには、出力歯車１２ｃ（図２を参照）とエンコーダ１４（図１を参照）が固着されている。
【００２１】
駆動モータ１２の駆動力は、図２に示す駆動力伝達歯車機構１５を介して、可動部材であるディスクトレイ１６、光ピックアップ５、カムスライダー１１に伝達され、これらの可動部材が作動するようになっている。即ち、この駆動力伝達歯車機構１５は、駆動モータ１２の出力歯車１２ｃに噛合して従動する第一大歯車１５ａ、この第一大歯車１５ａの上下に一体に形成された第一小歯車１５ｂ及び第二小歯車（ピニオンギア）１５ｃ、この第一小歯車１５ｂに噛合する第二大歯車１５ｄ、この第二大歯車１５ｄに噛合する第三大歯車１５ｅ、この第三大歯車１５ｅの上側に一体に形成された第三小歯車（ピニオンギア）１５ｆからなるものであって、第三小歯車１５ｆを一体に形成した第三大歯車１５ｅを除く他の全ての歯車はトラバースシャーシ２の下面側に取付けられており、第三小歯車１５ｆを一体に形成した第三大歯車１５ｅはローダーシャーシ１に取付けられている。そして、第二小歯車（ピニオンギア）１５ｃは光ピックアップ５のラックギア５ａと噛合し、光ピックアップ５を主軸７ａ及び副軸７ｂに沿ってトラッキング方向に移動させるようになっており、第三小歯車（ピニオンギア）１５ｆは、ディスクトレイ１６のラックギア１６ａとカムスライダー１１のラックギア１１ｃに噛合して、トレイクローズ時にはディスクトレイ１６を送り込んでからカムスライダー１１を図中左方向にスライドさせてトラバースシャーシ２を上昇させ、トレイオープン時にはカムスライダー１１を反対方向にスライドさせてトラバースシャーシ２を下降させてからディスクトレイ１６を送り出すようになっている。
【００２２】
図４の（ｂ）に示すように、トラバースシャーシ２に形成された前記の開環状被嵌合孔部１３の直径（内径）ｒは、駆動モータ１２の環状嵌合凸部１２ａの外径Ｒと同一又はそれよりも僅かに小さく設定されている。即ち、駆動モータ１２の環状嵌合凸部１２ａの外径Ｒはメーカーによって多少異なるため、この開環状被嵌合孔部１３の直径（内径）ｒは、最も小さい外径Ｒと同一又はそれよりも僅かに小さく設定されており、どのメーカーの駆動モータの環状嵌合凸部を嵌合させる場合でも、開環状被嵌合孔部１３の直径（内径）ｒが環状嵌合凸部１２ａの外径Ｒと同一又はそれよりも僅かに小さくなるようにしている。
【００２３】
そして、上記の開環状被嵌合孔部１３の下端開口縁には、駆動モータ１２の環状嵌合凸部１２ａを下方から嵌合するときのガイドとなる下広がりのテーパーガイド面１３ａが形成されており、開環状被嵌合孔部１３の上端開口縁には、駆動モータ１２の出力歯車１２ｃとの接触を回避するための上広がりのテーパー面１３ｂが形成されている。これらのテーパー面１３ａ，１３ｂの好ましい角度は３０°〜６０°であり、最適な角度は４５°である。
【００２４】
上記のように、開環状被嵌合孔部１３の下端開口縁に下広がりのテーパーガイド面１３ａが形成されていると、開環状被嵌合孔部１３に駆動モータ１２の環状嵌合凸部１２ａを下方から軽く押し込むだけで、環状嵌合凸部１２ａが下広がりのテーパーガイド面１３ａに案内されて開環状被嵌合孔部１３を弾性拡開させながら、容易且つ滑らかに嵌合できるようになり、嵌合作業が極めて容易になる。そして、開環状被嵌合孔部１３に嵌合された駆動モータ１２の環状嵌合凸部１２ａは、上記のように開環状被嵌合孔部１３の直径（内径）ｒが環状嵌合凸部１２ａの外径Ｒと同一又はそれよりも若干小さく設定されているため、いわゆる嵌合ガタを生じることはない。従って、駆動モータ１２は精度良く位置決めされ、駆動モータ１２の出力歯車１２ｃと、これに噛合して従動する駆動力伝達歯車機構１５の最初の第一大歯車１５ａとのギア間距離にバラツキを実質的に生じることがないので、このギア間距離のバラツキに依存して発生するディスクトレイ１６、光ピックアップ５、カムスライダー１１の作動時（摺動時）の音のバラツキを充分抑えることができる。また、駆動モータ１２の環状嵌合凸部１２ａを開環状被嵌合孔部１３に軽く圧入して嵌合するだけで、駆動モータ１２をトラバースシャーシ２に仮止めすることができるので、その後のビス等による駆動モータ１２の取付固定作業なども容易に行えるようになる。
【００２５】
また、図４の（ａ）に示すように、駆動モータ１２の環状嵌合凸部１２ａの上端は、開環状被嵌合孔部１３の上広がりのテーパー面１３ｂと下広がりのテーパーガイド面１３ａとの中間に位置していることが好ましく、このようにすると、環状嵌合凸部１２ａの嵌合深さ（環状嵌合凸部１２ａの外面と開環状被嵌合孔部１３の内面が接触する部分の上下寸法）が適度で深くも浅くもないため、良好な嵌合作業性と仮止め性を合わせて発揮することができる。
【００２６】
尚、トラバースシャーシ２の開環状被嵌合孔部１３の開環部分は、全周の１／２未満であればよいが、この開環部分が大きすぎると駆動モータ１２の環状嵌合凸部１２ａの仮止め性（保持性）が低下し、小さすぎると嵌合作業性が低下するので、全周のおよそ１／３程度とするのが最適である。
【００２７】
以上の説明から明らかなように、本発明に係る光ディスク装置は、駆動モータ１２の環状嵌合凸部１２ａをトラバースシャーシ２の開環状被嵌合孔部１３に下方から軽く圧入、嵌合するだけで簡単且つ正確に駆動モータ１２を位置決めすることができ、駆動モータ１２の出力歯車１２ｃと、これに噛合する駆動力伝達歯車機構１５の最初の従動歯車（第一大歯車１５ａ）とのギア間距離のバラツキをなくして、このギア間距離のバラツキに依存して発生するディスクトレイ１６その他の可動部材の作動時の音のバラツキを充分抑えることができるといった顕著な効果を奏すると共に、駆動モータ１２を仮止めして組立作業性を向上をさせることができるといった効果も奏する、優れた光ディスク装置である。
【図面の簡単な説明】
【００２８】
【図１】本発明の一実施形態に係る光ディスク装置をそのディスクトレイを省略して示した平面図である。
【図２】同光ディスク装置のトラバースシャーシにおける駆動モータ及び駆動力伝達歯車機構の配置と、光ピックアップ、ディスクトレイ、カムスライダーのそれぞれのラックとの噛合関係を示す説明図である。
【図３】トラバースシャーシの駆動モータ取付部分の拡大部分斜視図である。
【図４】（ａ）は図３のＡ−Ａ線に沿った拡大部分断面図、（ｂ）はその分解図である。
【符号の説明】
【００２９】
１    ローダーシャーシ
２    トラバースシャーシ
５    光ピックアップ
５ａ  光ピックアップのラックギヤ
１１  カムスライダー
１１ｃ  カムスライダーのラックギア
１２  駆動モータ
１２ａ  駆動モータの環状嵌合凸部
１２ｂ  駆動モータの軸
１２ｃ  駆動モータの出力歯車
１３    トラバースシャーシの開環状被嵌合孔部
１３ａ  開環状被嵌合孔部の下端開口縁のテーパーガイド面
１３ｂ  開環状被嵌合孔部の上端開口縁のテーパー面
１５    駆動力伝達歯車機構
１５ａ  駆動力伝達歯車機構の最初の従動歯車（第一大歯車）
１６    ディスクトレイ
１６ａ  ディスクトレイのラックギア
ｒ    開環状被嵌合孔部の直径（内径）
Ｒ    環状嵌合凸部の外径
【図１】
2008065924.tif 000003
【図２】
2008065924.tif 000004
【図３】
2008065924.tif 000005
【図４】
2008065924.tif 000006